(57)【要約】【課題】開き動作、閉じ動作の両方をより簡単に行うことができるようにした、開閉機構を提供する。【解決手段】開閉部材と、開閉部材を開閉するための操作部と、操作部にリンクして進退可能に設けられ、操作部の操作によって前進するスライダー６と、スライダー６を後退方向に付勢する付勢手段８と、スライダー６の先端部に設けられた、第１の押圧部１０ａと第２の押圧部１０ｂとを有する二股状のセレクトアーム１０と、開閉部材にリンクして、開閉部材に開き動作をなさせるための第１動作、および閉じ動作をなさせるための第２動作を、選択的に行う開閉動作部７と、を備えた開閉機構である。開閉動作部７は、セレクトアーム１０の、第１の押圧部１０ａおよび第２の押圧部１０ｂのうちの一方によって選択的に押圧され、これによって第１動作あるいは第２動作を行うよう構成されている。【選択図】図４
2008274743.tif 000002
【特許請求の範囲】
【請求項１】
固定部と、
前記固定部に対して開閉可能に設けられた開閉部材と、
押圧操作によって前記開閉部材に開閉動作をなさせるための操作部と、
前記操作部にリンクして進退可能に設けられ、該操作部の押圧操作に対応して前進するスライダーと、
前記スライダーを後退方向に付勢する付勢手段と、
前記スライダーの先端部に設けられた、第１の押圧部と第２の押圧部とを有する二股状のセレクトアームと、
前記開閉部材にリンクして、該開閉部材に開き動作をなさせるための第１動作、および閉じ動作をなさせるための第２動作を、選択的に行う開閉動作部と、を備え、
前記開閉動作部は、前記セレクトアームの、前記第１の押圧部および第２の押圧部のうちの一方によって選択的に押圧され、これによって前記第１動作あるいは前記第２動作を行うよう構成されていることを特徴とする開閉機構。
【請求項２】
前記開閉動作部は、正逆方向に回動可能に軸支されたことにより、前記セレクトアームの第１の押圧部および第２の押圧部のうちの一方に選択的に押圧されて回動する切換アームと、
前記開閉部材にリンクするとともに、正逆方向へ回動可能に軸支された連結アームと、
一端側が前記切換アームに正逆方向へ回動可能に連結され、他端側が前記連結アームに正逆方向へ回動可能に連結されたバネ体と、を備え、
前記バネ体は、前記切換アームが回動してその一端側が移動させられると弾性変形し、その後反転ポイントを通過することで弾性復帰し、該弾性復帰力により前記連結アームを付勢して回動させるよう、前記切換アームと前記連結アームとの間に取り付けられたことを特徴とする請求項１記載の開閉機構。
【請求項３】
前記切換アームには、前記セレクトアームの第１の押圧部に対応してこれに押圧される第１の受圧部と、第２の押圧部に対応してこれに押圧される第２の受圧部とが設けられ、
前記セレクトアームは、前記スライダーの先端部に揺動可能に設けられたことにより、前記第１の押圧部によって前記第１の受圧部を押圧した際、前記第２の押圧部が前記第２の受圧部を押圧することが回避され、前記第２の押圧部によって前記第２の受圧部を押圧した際、前記第１の押圧部が前記第１の受圧部を押圧することが回避されてなることを特徴とする請求項２記載の開閉機構。
【請求項４】
前記開閉部材が固定部に対して閉じた状態にあるとき、前記連結アームの回動を規制して前記開閉部材が開き動作するのを規制する、ロック機構が設けられていることを特徴とする請求項２又は３に記載の開閉機構。
【請求項５】
前記スライダーと、付勢手段と、セレクトアームと、開閉動作部とは、それぞれの少なくとも一部がケース内に収容されたことにより、ユニット化されていることを特徴とする請求項１〜４のいずれか一項に記載の開閉機構。
【発明の詳細な説明】
【技術分野】
【０００１】
本発明は、収納ケースや各種の装置などにおいて、収納部の開口などを開閉するための蓋体を動作させる、開閉機構に関する。
【背景技術】
【０００２】
収納ケースや各種の装置などでは、収納部の開口を開閉するための蓋体や、操作部を開閉可能に閉じる化粧扉などが取り付けられている。このような蓋体や化粧扉は、その開閉動作を手動で行うのが普通であるが、半自動で行えるように構成されたものも知られている。
すなわち、このような蓋体や化粧扉の開閉機構では、開扉釦を押圧することでロック機構を解除し、バネの付勢力を利用して蓋体を半自動的に開けるようにしたものが提案されている（特許文献１参照）。
また、扉体（開閉扉）を直接押圧することにより、この扉体が半自動的に開いて開口部を開放するようにしたものも提案されている（特許文献２参照）。
さらに、扉を手動でスライドさせて開き、閉じる際には押ボタンを押圧することにより、半自動的に閉じるようにしたものも提案されている（特許文献３参照）。
【特許文献１】特開平０８−４６３７０号公報
【特許文献２】特開平０７−７６９７２号公報
【特許文献３】特開平０８−２１３７６８号公報
【発明の開示】
【発明が解決しようとする課題】
【０００３】
しかしながら、収納ケースや各種装置では、使用形態が複雑化するに連れて、蓋体や扉等の開閉部材の開閉動作についてもその操作性のさらなる向上が望まれている。具体的には、片手のみでしか操作できなかったり、操作箇所を十分に直視できない状態で操作する場合などを考慮して、開き動作や閉じ動作についてその一方だけでなく、両方を自動（半自動）でしかも簡単に操作できる開閉機構が望まれている。
本発明は前記事情に鑑みてなされたもので、その目的とするところは、開き動作、閉じ動作の両方をより簡単に行うことができるようにした、開閉機構を提供することにある。
【課題を解決するための手段】
【０００４】
本発明の開閉機構は、固定部と、前記固定部に対して開閉可能に設けられた開閉部材と、押圧操作によって前記開閉部材に開閉動作をなさせるための操作部と、前記操作部にリンクして進退可能に設けられ、該操作部の押圧操作に対応して前進するスライダーと、前記スライダーを後退方向に付勢する付勢手段と、前記スライダーの先端部に設けられた、第１の押圧部と第２の押圧部とを有する二股状のセレクトアームと、前記開閉部材にリンクして、該開閉部材に開き動作をなさせるための第１動作、および閉じ動作をなさせるための第２動作を、選択的に行う開閉動作部と、を備え、前記開閉動作部は、前記セレクトアームの、前記第１の押圧部および第２の押圧部のうちの一方によって選択的に押圧され、これによって前記第１動作あるいは前記第２動作を行うよう構成されていることを特徴としている。
【０００５】
この開閉機構によれば、一つの操作部を押圧してスライダーを前進させることにより、セレクトアームによって開閉動作部に第１の動作、あるいは第２の動作を選択的に行わせることができ、これにより、第１動作によって開閉部材に開き動作をなさせ、あるいは第２動作によって開閉部材に閉じ動作をなさせることが可能になる。その際、操作部の押圧は、単にスライダーを前進させて、セレクトアームによって開閉動作部を選択的に押圧するだけの、一つの動作だけをなさせるものであるため、簡単で誤動作を生じにくい機構を提供することができる。
【０００６】
また、前記開閉機構においては、前記開閉動作部は、正逆方向に回動可能に軸支されたことにより、前記セレクトアームの第１の押圧部および第２の押圧部のうちの一方に選択的に押圧されて回動する切換アームと、前記開閉部材にリンクするとともに、正逆方向へ回動可能に軸支された連結アームと、一端側が前記切換アームに正逆方向へ回動可能に連結され、他端側が前記連結アームに正逆方向へ回動可能に連結されたバネ体と、を備え、前記バネ体は、前記切換アームが回動してその一端側が移動させられると弾性変形し、その後反転ポイントを通過することで弾性復帰し、該弾性復帰力により前記連結アームを付勢して回動させるよう、前記切換アームと前記連結アームとの間に取り付けられているのが好ましい。
【０００７】
このようにすれば、セレクトアームによって切換アームを正方向あるいは逆方向に回動させ、トーションバネ等からなるバネ体の一端側を移動させて該バネ体の反転ポイントを通過させることにより、このバネ体の弾性復帰力によって連結アームが付勢され、回動する。したがって、複雑な機構を要することなく、また電気的手段を用いることなく、正方向、逆方向の両方についてそれぞれ、セレクトアームを介して切換アームを回動させることにより、連結アームにリンクする開閉部材に開き動作、閉じ動作の両方をなさせることが可能になる。
【０００８】
また、前記開閉機構においては、前記切換アームには、前記セレクトアームの第１の押圧部に対応してこれに押圧される第１の受圧部と、第２の押圧部に対応してこれに押圧される第２の受圧部とが設けられ、前記セレクトアームは、前記スライダーの先端部に揺動可能に設けられたことにより、前記第１の押圧部によって前記第１の受圧部を押圧した際、前記第２の押圧部が前記第２の受圧部を押圧することが回避され、前記第２の押圧部によって前記第２の受圧部を押圧した際、前記第１の押圧部が前記第１の受圧部を押圧することが回避されている。
このようにすれば、セレクタアームの第１の押圧部あるいは第２の押圧部による開閉動作部の選択的押圧が、いずれの場合にも、別の押圧部が対応する受圧部に干渉されないため、より確実になされるようになる。
【０００９】
また、前記開閉機構においては、前記開閉部材が固定部に対して閉じた状態にあるとき、前記連結アームの回動を規制して前記開閉部材が開き動作するのを規制する、ロック機構が設けられているのが好ましい。
このようにすれば、開閉部材が閉じている状態で不測の力が働いても、開閉部材にリンクする連結アームが、ロック機構によって開き動作するのが規制されているので、開閉部材が不測に開いてしまうことが防止される。
【００１０】
また、前記開閉機構においては、前記スライダーと、付勢手段と、セレクトアームと、開閉動作部とは、それぞれの少なくとも一部がケース内に収容されたことにより、ユニット化されているのが好ましい。
このようにすれば、固定部と開閉部材とを備えた収納部などに対し、開閉機構を設けるための組み立て工程が容易になる。
【発明の効果】
【００１１】
本発明の開閉機構にあっては、操作部の押圧による動作を、単にスライダーを前進させて、セレクトアームによって開閉動作部を選択的に押圧するだけの、一つの動作をなさせるだけにしたので、押圧操作を比較的短いストロークで行うことができ、したがって押圧操作による開閉部材の開き動作、閉じ動作の両方を、誤動作させることなく簡単に行うことができる。また、一つの操作部を押圧操作することにより、開閉部材の開き動作と閉じ動作との両方を行えるようにしたので、例えば片手のみでしか操作できなかったり、操作箇所を十分に直視できない状態で操作する場合などであっても、従来に比べて開き動作、閉じ動作の両方をより簡単に行うことができる。
【発明を実施するための最良の形態】
【００１２】
以下、本発明を詳しく説明する。
図１は、本発明の開閉機構を、テレビ（図示せず）を置くための収納台に設けられた収納部に適用した場合の一実施形態を示す図である。図１中符号１は収納台（固定部）、２は収納台１に設けられた収納部（図示せず）を開閉可能に覆う蓋体（開閉部材）、３は蓋体２に開閉動作をなさせるための操作ボタン（操作部）である。
【００１３】
このような収納台１の収納部には、蓋体２の開閉動作を自動的になさせるための開閉機構が設けられている。この開閉機構は、収納台１の内部に設けられたもので、本実施形態では図２（ａ）、（ｂ）、図３（ａ）、（ｂ）、図４（ａ）、（ｂ）、に示すように、トップケース４ａとボトムケース４ｂとからなるケース４内に収容されて、ユニット化されたものとなっている。すなわち、このユニッと化されてなる開閉ユニット５は、前記収納台１内の、収納部の側壁部の外側に配設され、ビス止め等によって固定されたものである。
【００１４】
なお、図２（ａ）は開閉ユニット５の裏面側（ボトムケース４ｂ側）を示す斜視図であり、図２（ｂ）は開閉ユニット５の上面側（トップケース４ａ側）を示す斜視図である。また、図３（ａ）は開閉ユニット５の表側外面を示す図であり、図３（ｂ）は開閉ユニット５を表側から見た場合の内部構成を示す図である。さらに、図４（ａ）は開閉ユニット５の裏側外面を示す図であり、図４（ｂ）は開閉ユニット５を裏側から見た場合の内部構成を示す図である。
【００１５】
この開閉ユニット５は、取付爪３ａを介して前記操作ボタン３を取り付けるスライダー６を有し、また、リンク機構（図示せず）によって前記蓋体２にリンクする開閉動作部７を有したことにより、操作ボタン３の押圧操作を受けて蓋体２に開閉動作をなさせるものである。
スライダー６は、ケース４に対して進退可能に設けられたもので、その先端側がケース４内に収容され、後端側がケース４の外側に引き出されたものである。そして、この後端側で、前記したように取付爪３ａを介して前記操作ボタン３に連結し、操作ボタン３が押圧操作されると、その押圧力によってケース４内を前進するようになっている。
【００１６】
また、このスライダー６には、図４（ｂ）、および開閉ユニット５の要部の分解斜視図である図５（ａ）に示すように、その裏面側にコイルバネ（付勢手段）８が設けられている。このコイルバネ８は、スライダー６のコイルバネ収容部６ａに収容されたもので、その一端側がコイルバネ収容部６ａにおけるスライダー６の後端側の壁部に当接し、他端側が、図５（ａ）に示すようにボトムケース４ｂの内面側に形成された一対の係止片９、９に係止したものである。そして、このような構成によってコイルバネ８は、スライダー６の後端側をケース４の外側に、すなわちスライダー６をその後退方向に押し出すように付勢している。したがって、このスライダー６は、前記したように操作ボタン３の押圧操作によって前進した後、操作ボタン３への押圧が解除されると、コイルバネ８の付勢力によって後退し、元の位置に復帰するようになっているのである。
【００１７】
前記スライダー６の先端部には、図４（ｂ）、および開閉ユニット５の要部の分解斜視図である図６（ａ）、同じく開閉ユニット５の要部の斜視図である図６（ｂ）に示すように、Ｙ字状、すなわち先端側が二股状のセレクトアーム１０が取り付けられている。このセレクトアーム１０は、二股状の先端側の一方を第１の押圧部１０ａ、他方を第２の押圧部１０ｂとし、後端側を基端部１０ｃとしたものである。そして、基端部１０ｃに形成された貫通孔１１が、前記スライダー６に形成された軸６ｂに回動可能に嵌合したことにより、スライダー６の先端部に、揺動可能に取り付けられたものとなっている。すなわち、基端部１０ｃの中心軸に対して、第１の押圧部１０ａ側および第２の押圧部１０ｂの双方に、回動（揺動）可能となっている。
【００１８】
また、このセレクトアーム１０の裏面側には、図４（ｂ）に示すように係合片１２が設けられており、この係合片１２は、スライダー６に形成された切り欠き６ｃ内に移動可能に係合している。さらに、セレクトアーム１０には、その基端部１０ｃの表面側に、図６（ａ）に示したように係合部１３が形成されており、この係合部１３は、図５（ａ）に示すようにスライダー６の係合突起（図示せず）に保持固定されたトーションバネ１４の、一対のアーム１４ａ、１４ａによって保持されている。このような構成によってセレクトアーム１０は、係合片１２と切り欠き６ｃとの係合によってその揺動（回動）範囲が規制され、さらに、トーションバネ１４によってその位置が、初期状態となる位置に復帰するように付勢されている。すなわち、前記第１の押圧部１０ａあるいは第２の押圧部１０ｂに圧がかかっておらず、解放された状態になると、セレクトアーム１０は、その基端部１０ｃの中心軸がスライダー６の中心軸にほぼ一致するように、トーションバネ１４によって付勢されているのである。
【００１９】
また、前記開閉動作部７は、図３（ｂ）、図４（ｂ）、および開閉ユニット５の要部の分解斜視図である図７（ａ）、同じく開閉ユニット５の要部の斜視図である図７（ｂ）に示すように、略Ｔ字状の切換アーム１５が、ボトムケース４ｂに対して正逆方向に回動可能に軸支されている。すなわち、この切換アーム１５は、図７（ａ）に示すようにその裏面側の一端部（後端部）に形成された嵌合筒１６が、ボトムケース４ｂに設けられた軸２９に回動可能に嵌合したことにより、ボトムケース４ｂに対して回動可能に保持されたものとなっている。
【００２０】
また、この切換アーム１５には、前記嵌合筒１６の一方の側部に、第１の受圧軸（第１の受圧部）１５ａが形成され、他方の側部に第２の受圧軸（第２の受圧部）１５ｂが形成されている。第１の受圧軸１５ａは、前記セレクトアーム１０の第１の押圧部１０ａに対応してこれに押圧されるよう構成されたものであり、第２の受圧軸１５ｂは、第２の押圧部１０ｂに対応してこれに押圧されるよう構成されたものである。
【００２１】
また、この切換アーム１５には、前記嵌合筒１６と反対の側（先端側）に、後述するロック機構を構成する係合部１７が形成されており、この係合部１７の裏面側には、図４（ｂ）に示すようにトーションバネからなるバネ体１８の一端側（一方のアーム１８ａ）が回動可能に保持されている。また、前記嵌合筒１６と係合部１７との間には、湾曲してなる切り欠き１９が形成されている。この切り欠き１９は、図７（ａ）、（ｂ）に示すように、連結アーム２０の回動軸２１を、相対移動可能に挿通させたものである。
【００２２】
連結アーム２０は、図５（ａ）、（ｂ）に示したように、ボトムケース４ｂに取り付けられた回動軸２１に、正逆方向へ回動可能に支持された略扇形状のものである。すなわち、この連結アーム２０は、その扇の中心位置に、前記回動軸２１に回動可能に嵌合する嵌合筒２０ａを有し、この嵌合筒２０ａ内の回動軸２１が、図７（ａ）、（ｂ）に示したように、切換アーム１５の切り欠き１９内に挿通したものである。また、この連結アーム２０には、扇の一方の角部に形成された係合突片２０ｂに、前記バネ体１８の他端側（他方のアーム１８ｂ）が回動可能に保持されている。さらに、扇の他方の角部には、図４（ａ）、（ｂ）に示すようにこの連結アーム２０の裏面側に、リンク軸２２が形成されている。このリンク軸２２は、ボトムケース４ｂに形成された窓部２３内に移動可能に突出させられたもので、リンク機構（図示せず）を介して前記蓋体２にリンクしたものである。
【００２３】
バネ体１８は、一対のアーム１８ａ、１８ｂを有してなるもので、図４（ｂ）に示したように一方のアーム１８ａの先端部に形成された円環状の取り付け部（図示せず）が、切換アーム１５の裏面側の軸（図示せず）に回動可能に保持され、これによってアーム１８ａは、切換アーム１５の移動（回動）に追従して移動するようになっている。また、図７（ａ）、（ｂ）に示したように、他方のアーム１８ｂの先端部に形成された円環状の取り付け部（図示せず）が、連結アーム２０の係合突片２０ｂの表面側の軸（図示せず）に回動可能に保持され、これによってアーム１８ｂは、連結アーム２０の移動（回動）に追従して移動するようになっている。
【００２４】
このような構成のもとにバネ体１８は、後述するように前記切換アーム１５が回動して一方のアーム（一端側）１８ａが移動させられると弾性変形し、その後反転ポイントを通過することで弾性復帰し、この弾性復帰力により、他方のアーム１８ｂが前記連結アーム２０を付勢してこれを回動させるようになっている。ここで、このようなバネ体１８の弾性変形、および反転後の弾性復帰は、前記切換アーム１５の、正方向の回動、および逆方向の回動のいずれの場合にも同様に起こるよう、バネ体１８は、切換アーム１５と連結アーム２０との間に取り付けられている。
【００２５】
したがって、連結アーム２０は、切換アーム１５の正逆の回動にそれぞれ連動して、正逆方向に回動するようになっている。よって、開閉動作部７は、バネ体１８によって連結アーム２０を正逆方向に回動させることにより、連結アーム２０のリンク軸２２を窓部２３内にて移動させ、これにより、リンク機構を介して蓋体２を開閉動作させるものとなっている。なお、図７（ａ）、（ｂ）に示すように、スライダー６およびセレクトアーム１０の表面側には遮蔽板３０が取り付けられており、これによってセレクトアーム１０は、スライダー６から外れないようになっている。
【００２６】
また、連結アーム２０の係合突片２０ｂ側には、図４（ｂ）および図６（ａ）、（ｂ）に示したようにボトムケース４ｂに取り付けられた回動軸２４に、ロックアーム２５が回動可能に保持されている。このロックアーム２５は、前記回動軸２４に回動可能に嵌合する嵌合筒２５ａと、この嵌合筒２５ａの下端部に一体に形成された下部アーム２５ｂと、嵌合筒２５ａの上端部に一体に形成された上部アーム２５ｃとからなるものである。
【００２７】
このロックアーム２５とボトムケース４ｂとの間には、トーションバネ２６が取り付けられており、これによってロックアーム２５は、嵌合筒２５ａと反対の側となる先端側が、図４（ｂ）中矢印Ａで示す方向に付勢されている。すなわち、ボトムケース４ｂには、図６（ａ）に示すように前記回動軸２４を取り付けるための取付筒２７が形成されており、トーションバネ２６は、そのコイル部分が取付筒２７に巻回されたことによってここに保持されている。そして、このトーションバネ２６は、図４（ｂ）に示すようにその一方のアーム２６ａが規制壁４０に当接し、他方のアーム２６ｂが下部アーム２５ｂの底面に形成された係合凸部２８に当接して配設されている。これにより、トーションバネ２６は回動軸２４を中心にして係合凸部２８を規制壁４０から離間する方向、すなわち矢印Ａで示した方向に回動させるよう、ロックアーム２５を付勢するものとなっている。
【００２８】
また、このロックアーム２５は、連結アーム２０が図４（ｂ）に示した状態にあるとき、すなわち、後述するように連結アーム２０がそのリンク軸２２によって蓋体２を閉じた状態としているとき、下部アーム２５ｂの先端部（嵌合筒２５ａと反対の側の端部）２５ｄが、連結アーム２０の移動（回動）を規制するようになっている。ロックアーム２５は、図４（ｂ）に示した状態では、トーションバネ２６の作用によって矢印Ａ方向に付勢されている。これにより、下部アーム２５ｂは、その後端部２５ｅの側面が規制壁４０に当接してこれに規制されるまで、回動させられている。その際、先端部２５ｄが連結アーム２０側に近接して前記係合突片２０ｂの側方に位置することにより、連結アーム２０は、その係合突片２０ｂが下部アーム２５ｂの先端部２５ｄに干渉されるようになる。その結果、連結アーム２０は、図４（ｂ）中矢印Ｂ方向への回動（移動）が規制（ロック）されるようになる。
【００２９】
また、このように蓋体２を閉じた状態とするべく、図４（ｂ）、およびこの図４（ｂ）の状態を表側より見た図８（ａ）に示すように、連結アーム２０のリンク軸２２を窓部２３の一方の側に保持した状態から、後述するように蓋体２を開いた状態にするべく、図８（ｂ）に示すように切換アーム１５を回動させると、この切換アーム１５の係合部１７が、ロックアーム２５の上部アーム２５ｃの側面を押圧してこれを回動させる。これにより、前記したロックアーム２５による連結アーム２０の回動（移動）の規制（ロック）が解除され、連結アーム２０は図４（ｂ）中矢印Ｂ方向への回動が可能になる
このような切換アーム１５の係合部１７やロックアーム２５、および連結アーム２０により、本発明のロック機構が構成されている。
【００３０】
次に、本実施形態の開閉機構（開閉ユニット５）の動作について説明する。
まず、図１に示した蓋体２が閉じている状態（第１の初期状態）から、これを開くには、操作ボタン３を押圧する。ここで、蓋体２が閉じている状態では、切換アーム１５や連結アーム２０等は図４（ｂ）および図８（ａ）に示す状態になっており、特に、セレクトアーム１０の第１の押圧部１０ａが、第１の受圧軸１５ａに対応してこれに近接しあるいは当接している。また、切換アーム１５は、その嵌合筒１６を中心にして回動していることにより、第１の受圧軸１５ａとは反対の側にある第２の受圧軸１５ｂは、第２の押圧部１０ｂに対して十分に離間した状態となっている。
【００３１】
ここで、図４（ｂ）および図８（ａ）に示した状態の要部を、図９（ａ）に示す。なお、以下の図９、図１０の各図においては、バネ体１８の取付方向を反転させているが、後述するようにバネ体１８はその動作の間に反転するので、バネ体１８の作用としては図４（ｂ）、図８（ａ）に示した場合と同じである。
【００３２】
この状態から操作ボタン３を押圧すると、スライダー６はその初期位置ラインＬより前進する。すると、スライダー６の先端側のセレクトアーム１０の第１の押圧部１０ａが第１の受圧軸１５ａを押圧することにより、切換アーム１５が回動し、図９（ｂ）に示すように切換アーム１５が回動のセンター位置（センターラインＣ上）に至る。すなわち、図９（ａ）に示した状態では第１の押圧部１０ａ（図示せず）のみが第１の受圧軸１５ａに近接しあるいは当接し、第２の受圧軸１５ｂは第２の押圧部１０ｂに対して十分に離間しているので、蓋体２が閉じている状態、つまり開閉動作部７が蓋体（開閉部材）２に閉じる第２動作をなさせている状態からスライダー６が前進させられると、切換アーム１５（開閉動作部７）は、第１の押圧部１０ａによる押圧のみを選択的に受け、図９（ａ）中の矢印Ｃ方向に回動するようになる。
【００３３】
このようにして切換アーム１５が回動すると、切換アーム１５に一方のアーム１８ａが保持されたバネ体１８も、図９（ｂ）に示したようにそのアーム１８ａ側がこの回動に伴われて回動する。これにより、バネ体１８は、アーム１８ａとアーム１８ｂとの間が狭められることで弾性変形する。そして、切換アーム１５が回動し、この弾性変形がさらに大きくなると、図９（ｃ）に示すようにバネ体１８はその反転ポイントに至る。すなわち、アーム１８ａとアーム１８ｂとの間隔が最小となる位置に至る。
【００３４】
そして、操作ボタン３が最も押し込まれ、スライダー６が最も前進した位置に至ると、図１０（ａ）に示すようにバネ体１８は前記の反転ポイントを通過し、弾性復帰を開始する。すると、バネ体１８は弾性復帰力によって狭められていた両端間を拡げるように作用し、これによって切換アーム１５は、図１０（ｂ）に示すようにわずかに回動し、その切り欠き１９の端縁が連結アーム２０の回動軸２１に当接することで、回動を停止する。
【００３５】
その結果、切換アーム１５が停止させられていることにより、切換アーム１５に保持されているアーム１８ａ側に対し、連結アーム２０に保持されているアーム１８ｂ側を遠ざけるようにバネ体１８の弾性復帰力が働く。これにより、連結アーム２０はバネ体１８に付勢され、その回動軸２１を中心にして、図１０（ｃ）に示すように切換アーム１５とは反対の方向に回動させられる。すると、連結アーム２０の回動（移動）に伴ってそのリンク軸２２も回動し、図示しないリンク機構を介して蓋体２を開く。つまり、開閉動作部７は第１動作をなすようになる。このようにして蓋体２を開いたら、操作ボタン３への押圧をやめて指を離す。すると、スライダー６は押圧が解除されるため、コイルバネ８の付勢力によって後退し、元の位置（初期位置）に復帰する。これにより、開閉機構は図１０（ｄ）に示すように第２の初期状態、すなわち、蓋体２が開いている状態になる。
【００３６】
ここで、前記したようにスライダー６を前進させ、セレクトアーム１０の第１の押圧部１０ａで切換アーム１５の第１の受圧軸１５ａを押圧し、切換アーム１５を回動させると、図４（ｂ）中矢印Ｃで示す方向に切換アーム１５が回動する結果、第２の受圧軸１５ｂが第２の押圧部１０ｂに当接する方向に移動する。しかし、セレクトアーム１０は、スライダー６に対して揺動可能に設けられているので、第１の押圧部１０ａが第１の受圧軸１５ａを押圧した際、第１の押圧部１０ａが第１の受圧軸１５ａから反力を受けることにより、図４（ｂ）中矢印Ｄ方向に揺動（回動）する。したがって、第２の受圧軸１５ｂが第２の押圧部１０ｂに当接し、結果的に第２の押圧部１０ｂが第２の受圧軸１５ｂを押圧してしまうことが回避される。すなわち、対応する押圧部と受圧軸とが押圧動作する際、別の押圧部と受圧軸とによってこのこの押圧動作が干渉されないようになっているのである。これにより、セレクタアーム１０によって切換アーム１５を選択的に動作させることができる。
【００３７】
また、蓋体２が閉じている状態、すなわち図４（ｂ）および図８（ａ）に示した状態では、前述したように、連結アーム２０はロックアーム２５の下部アーム２５ｂの先端部２５ｄによってその移動（回動）、つまり図４（ｂ）中矢印Ｂ方向への回動（移動）が規制（ロック）されている。したがって、このようにロックアーム２５等からなるロック機構によって連結アーム２０がロックされているので、蓋体２が閉じている状態で蓋体２等に不測の力が働いても、蓋体２が不測に開いてしまうことが防止されている。
【００３８】
そして、前記したようにスライダー６を前進させて切換アーム１５を回動させると、この切換アーム１５の係合部１７が、ロックアーム２５の上部アーム２５ｃの側面を押圧してこれを回動させる。これにより、前記したロックアーム２５による連結アーム２０の回動（移動）規制（ロック）が解除され、前記したように連結アーム２０が回動して蓋体２が開くようになる。
【００３９】
また、図１０（ｄ）に示したように蓋体２が開いている状態から、蓋体２を閉じるには、再度操作ボタン３を押圧する。すると、元の位置に復帰（後退）していたスライダー６は再度前進する。これにより、セレクトアーム１０の第２の押圧部１０ｂが第２の受圧軸１５ｂを押圧することによって、切換アーム１５が図８（ａ）に示すように回動させられる。すなわち、図８（ｃ）に示した状態（図１０（ｄ）に示した状態）では、図４（ｂ）に示した状態から切換アーム１５が回動させられ、第２の受圧軸１５ｂが矢印Ｅ方向に移動（回動）していることにより、第２の押圧部１０ｂのみが第２の受圧軸１５ａに近接しあるいは当接している。
【００４０】
したがって、第１の受圧軸１５ａは第１の押圧部１０ａに対して十分に離間しているので、蓋体２が開いている状態、つまり開閉動作部７が蓋体（開閉部材）２を開かせている状態から、スライダー６が前進させられると、切換アーム１５（開閉動作部７）は、第２の押圧部１０ｂによる押圧のみを選択的に受け、図８（ｃ）中矢印Ｆ方向に回動し、図８（ａ）に示した位置にまで移動（回動）する。
【００４１】
すると、切換アーム１５の回動によってバネ体１８は、先の図９（ａ）から図１０（ｄ）に至る動作、つまり図８（ａ）から図８（ｂ）、図８（ｃ）に至る動作とは逆に動作する。すなわち、切換アーム１５の回動によってバネ体１８は、アーム１８ａとアーム１８ｂとの間が狭められることで弾性変形し、反転ポイントに至る。その後、反転ポイントを通過することによってバネ体１８は弾性復帰し、狭められていた両端間を拡げるように作用する。
【００４２】
これにより、切換アーム１５に保持されているアーム１８ａ側に対し、連結アーム２０に保持されているアーム１８ｂ側を遠ざけるように弾性復帰力が働き、図９（ａ）（図８（ａ））に示したように連結アーム２０が切換アーム１５とは反対の方向に回動させられる。すると、連結アーム２０の回動（移動）に伴ってそのリンク軸２２も回動し、図示しないリンク機構を介して蓋体２を閉じる。つまり、開閉動作部７は第２動作をなすようになる。
【００４３】
また、切換アーム１５の回動により、その係合部１７によるロックアーム２５の上部アーム２５ｃの側面に対する押圧が解除され、これによってロックアーム２５は、トーションバネ２６の付勢力によって図８（ａ）に示した位置に復帰する。これにより、ロックアーム２５によって連結アーム２０の回動（移動）が再度規制（ロック）され、連結アーム２０は図４（ｂ）中矢印Ｂ方向への回動が不能になる
【００４４】
このような開閉機構（開閉ユニット５）にあっては、操作ボタン（操作部）３の押圧による動作を、単にスライダー６を前進させて、セレクトアーム１０によって開閉動作部７を選択的に押圧するだけの、一つの動作をなさせるだけにしたので、押圧操作を比較的短いストロークで行うことができ、したがって押圧操作による蓋体２の開き動作、閉じ動作の両方を、より簡単に行うことができる。また、一つの操作ボタン３を押圧操作することにより、蓋体２の開き動作と閉じ動作との両方を行えるようにしたので、例えば片手のみでしか操作できなかったり、操作箇所を十分に直視できない状態で操作する場合などであっても、従来に比べて開き動作、閉じ動作の両方をより簡単に行うことができる。
【００４５】
また、セレクトアーム１０によって切換アーム１５を正方向あるいは逆方向に回動させ、バネ体１８の一端側を移動させて該バネ体１８の反転ポイントを通過させることにより、このバネ体１８の弾性復帰力によって連結アーム２０を付勢し、回動させるようにしているので、複雑な機構を要することなく、また電気的手段を用いることなく、セレクトアーム１０を介して切換アーム１５を回動させることで、連結アーム２０にリンクする蓋体（開閉部材）２に開き動作、閉じ動作の両方をなさせることができる。
【００４６】
また、切換アーム１５に、セレクトアーム１０の第１の押圧部１０ａに対応してこれに押圧される第１の受圧軸１５ａと、第２の押圧部１０ｂに対応してこれに押圧される第２の受圧軸１５ｂとを設け、セレクトアーム１０を、スライダー６の先端部に揺動可能に設けたので、第１の押圧部１０ａによって第１の受圧軸１５ａを押圧した際、第２の押圧部１０ｂが第２の受圧軸１５ｂを押圧することを回避することができ、また、第２の押圧部１０ｂによって第２の受圧軸１５ｂを押圧した際、第１の押圧部１０ａが第１の受圧軸１５ａを押圧することを回避することができる。したがって、セレクタアーム１０の第１の押圧部１０ａあるいは第２の押圧部１０ｂによる開閉動作部７の選択的押圧を、いずれの場合にも、別の押圧部が対応する受圧部に干渉されないため、より確実になすことができる。
【００４７】
また、蓋体２が閉じた状態にあるとき、連結アーム２０の回動を規制して蓋体２が開き動作するのを規制する、ロック機構を設けているので、蓋体２が閉じている状態で不測の力が働いても、蓋体２にリンクする連結アーム２０をロックしていることにより、蓋体２が不測に開いてしまうことを防止することができる。よって、本実施形態では、収納台１に不測の力が作用しても、閉じた状態にある蓋体２が開いて中に収容しているものが飛び出すなどの不都合を防止することができる。
【００４８】
また、本実施形態では、前記スライダー６と、コイルバネ（付勢手段）８と、セレクトアーム１０と、開閉動作部７とは、それぞれの少なくとも一部がケース４内に収容されたことにより、開閉ユニット５となっているので、収納台１に設けられた収納部などに対し、開閉機構を設けるための組み立て工程を容易にすることができる。
【００４９】
なお、本発明は前記実施形態に限定されることなく、本発明の要旨を逸脱しない範囲において種々の変更が可能である。
例えば、前記実施形態ではスライダー６の先端部のセレクトアーム１０によって切換アーム１５を選択的に押圧し、この切換アーム１５及びバネ体１８を介して連結アーム２０を回動させ、該連結アーム２０にリンクする蓋体２を開閉させるようにしたが、本発明はこれに限定されることなく、例えば切換アーム１５を用いず、セレクトアーム１０によって直接連結アーム２０を押圧し、バネ体１８の反転による弾性復帰力を利用して連結アーム２０を回動させるようにしてもよい。
【００５０】
すなわち、連結アーム２０に、図７（ａ）に示した切換アーム１５の第１の受圧軸１５ａおよび第２の受圧軸１５ｂに相当する一対の軸を形成し、これら軸によってセレクトアーム１０の第１の押圧部１０ａあるいは第２の押圧部１０ｂによる押圧を選択的に受けるようにする。また、バネ体１８については、前記実施形態において切換アーム１５に保持されていた一端側を、例えばトップケース４ａの適宜箇所に保持させ固定する。
【００５１】
このような構成にしても、スライダー６を前進させてセレクトアーム１０で連結アーム２０を選択的に押圧し、該連結アーム２０を正方向あるいは逆方向に回動させることができる。そして、セレクトアーム１０による押圧で連結アーム２０をある程度回動させ、バネ体１８を一定以上に弾性変形させてその反転ポイントを通過させると、その後にはこのバネ体１８の弾性復帰力によって連結アーム２０を付勢し、回動させることができる。したがって、このような構成を採用しても、前記実施形態と同様に、スライダー６に取り付けられた操作ボタン３の押圧により、連結アーム２０を回動させてこれにリンクする蓋体２を開閉させることができる。
【００５２】
また、前記実施形態では本発明の開閉機構を、テレビを置くための収納台に設けられた収納部に適用した例を示したが、本発明はこれらに限定されることなく、固定部に対して蓋体等の開閉部材を開閉させる機構であれば、このような収納台に限らず、例えば自動車のダッシュボードのような車載用など、種々のものに適用可能である。
また、開閉機構の形態についても、ケース内に収容してユニット化することなく、単に個々の部材を組み合わせた構成としてもよい。
さらに、バネ体についても、トーションバネに限定されることなく、一端側と他端側を有し、その反転ポイントを通過することで付勢力を発生するようなバネであれば、板バネなど任意のものを用いることができる。
【図面の簡単な説明】
【００５３】
【図１】本発明の開閉機構を、収納台に設けられた収納部に適用した場合の一実施形態を示す説明図である。
【図２】（ａ）は開閉ユニットの裏面側を示す斜視図、（ｂ）は開閉ユニットの上面側を示す斜視図である。
【図３】（ａ）は開閉ユニットの表側外面を示す図、（ｂ）は開閉ユニットを表側から見た場合の内部構成を示す図である。
【図４】（ａ）は開閉ユニットの裏側外面を示す図、（ｂ）は開閉ユニットを裏側から見た場合の内部構成を示す図である。
【図５】（ａ）は開閉ユニットの要部の分解斜視図、（ｂ）は開閉ユニットの要部斜視図である。
【図６】（ａ）は開閉ユニットの要部の分解斜視図、（ｂ）は開閉ユニットの要部斜視図である。
【図７】（ａ）は開閉ユニットの要部の分解斜視図、（ｂ）は開閉ユニットの要部斜視図である。
【図８】（ａ）〜（ｃ）は開閉ユニットの動作を説明するための図であって、開閉ユニットを表側から見た場合の内部構成を示す図である
【図９】（ａ）〜（ｃ）は開閉ユニットの動作を説明するための図であって、開閉ユニットの要部を示す図である。
【図１０】（ａ）〜（ｄ）は開閉ユニットの動作を説明するための図であって、開閉ユニットの要部を示す図である。
【符号の説明】
【００５４】
１…収納台（固定部）、２…蓋体（開閉部材）、３…操作ボタン（操作部）、４…ケース、５…開閉ユニット、６…スライダー、７…開閉動作部、８…コイルバネ（付勢手段）、１０…セレクトアーム、１０ａ…第１の押圧部、１０ｂ…第２の押圧部、１５…切換アーム、１５ａ…第１の受圧軸（第１の受圧部）、１５ｂ…第２の受圧軸（第２の受圧部）、１７…係合部、１８…バネ体、１８ａ、１８ｂ…アーム、２０…連結アーム、２０ａ…嵌合筒、２０ｂ…係合突片、２２…リンク軸、２５…ロックアーム、２５ｂ…下部アーム、２５ｃ…上部アーム、２６…トーションバネ
【図１】
2008274743.tif 000003
【図２】
2008274743.tif 000004
【図３】
2008274743.tif 000005
【図４】
2008274743.tif 000006
【図５】
2008274743.tif 000007
【図６】
2008274743.tif 000008
【図７】
2008274743.tif 000009
【図８】
2008274743.tif 000010
【図９】
2008274743.tif 000011
【図１０】
2008274743.tif 000012